(57)【要約】【課題】ＴＤＤ方式の無線伝送方式を採用してサービスを提供している伝送システムにおいても、時刻精度の確保を確実に行う。【解決手段】実施形態の信号伝送装置は、ＴＤＤ方式で信号伝送を行う信号伝送装置であって、入力された伝送信号に含まれる時刻同期用信号と時刻同期用信号以外の信号とを分離するスイッチ部と、時刻同期用信号以外の信号を伝送する第１伝送路と、時刻同期用信号を伝送する第２伝送路と、第１伝送路から伝送信号及び第２伝送路側から伝送信号を合成するとともに、第１伝送路側への伝送信号及び第２伝送路側への伝送信号を分配する合成分配器と、を備える。【選択図】図１
2019186886.tif 000002
【特許請求の範囲】
【請求項１】
ＴＤＤ方式で信号伝送を行う信号伝送装置であって、
入力された伝送信号に含まれる時刻同期用信号と時刻同期用信号以外の信号とを分離するスイッチ部と、
前記時刻同期用信号以外の信号を伝送する第１伝送路と、
前記時刻同期用信号を伝送する第２伝送路と、
前記第１伝送路から伝送信号及び前記第２伝送路側から伝送信号を合成するとともに、前記第１伝送路側への伝送信号及び前記第２伝送路側への伝送信号を分配する合成分配器と、
を備えた信号伝送装置。
【請求項２】
前記第１伝送路は、前記時刻同期用信号以外の信号の変復調を行う第１の変復調装置、アナログ信号とディジタル信号の間の相互変換を行う第１のアナログディジタル変換器及び第１の送受信機が順次シリアル接続されており、
前記第２伝送路は、前記時刻同期用信号以外の信号の変復調を行う第２の変復調装置、アナログ信号とディジタル信号の間の相互変換を行う第２のアナログディジタル変換器及び第２の送受信機が順次シリアル接続されている、
請求項１記載の信号伝送装置。
【請求項３】
前記第２伝送路は、ＦＤＤ方式で信号伝送を行うように構成されている、
請求項２記載の信号伝送装置。
【請求項４】
通信ケーブルを介して対向配置された一対の請求項１乃至請求項３のいずれかに記載の信号伝送装置と、
一方の前記信号伝送装置に接続され、前記時刻同期用信号を構成する時刻同期精度情報を送信するマスタ装置と、
他方の前記信号伝送装置に接続され、前記時刻同期精度情報に基づいて時刻補正を行うスレーブ装置と、
を備えた信号伝送システム。
【請求項５】
時刻同期用信号以外の信号を伝送する第１伝送路と、前記時刻同期用信号を伝送する第２伝送路と、を有し、ＴＤＤ方式で信号伝送を行う信号伝送装置で実行される方法であって、
入力された伝送信号に含まれる時刻同期用信号と時刻同期用信号以外の信号とを分離する過程と、
前記第１伝送路を介して前記時刻同期用信号以外の信号を伝送する過程と、
前記第２伝送路を介して前記時刻同期用信号を伝送する過程と、
伝送方向に応じて、前記第１伝送路から伝送信号及び前記第２伝送路側から伝送信号を合成し、あるいは、前記第１伝送路側への伝送信号及び前記第２伝送路側への伝送信号を分配する過程と、
を備えた方法。
【発明の詳細な説明】
【技術分野】
【０００１】
本発明の実施形態は、信号伝送装置、信号伝送システム及び方法に関する。
【背景技術】
【０００２】
携帯電話、スマートフォン等の移動通信端末装置で利用される無線伝送方式としては、異なる二つの周波数帯域をそれぞれ下り信号／上り信号としてペアで使用するＦＤＤ（Frequency  Division  Duplex）方式と、同一の周波数帯域を下り信号及び上り信号で共用し、時分割で使用するＴＤＤ（Time  Division  Duplex）方式と、が知られている。  
【先行技術文献】
【特許文献】
【０００３】
【特許文献１】特開２００７−００６１６３号公報
【特許文献２】特開平１１−００８８７９号公報
【特許文献３】特開平０８−２３７７３１号公報
【発明の概要】
【発明が解決しようとする課題】
【０００４】
ところで、ＦＤＤ方式の無線伝送方式においては、下りの周波数帯域と上りの周波数帯域との間には、一定の周波数間隔（Gap）が必要であり、利用可能な周波数が逼迫してきていることなどにより、近年では、ＴＤＤ方式の無線伝送方式の利用が増えてきている。
【０００５】
従って共用リピータシステムにおいてもＴＤＤ方式の無線伝送方式を利用した装置が増加していくことが考えられる。
そして、ＴＤＤ方式の無線伝送方式を採用した共用リピータシステムにおいては、送信と受信とが異なるタイミングで行われるとともに、アップリンクとダウンリンクとで伝送速度や伝送遅延量が異なることがあり、時刻精度の確保が難しかった。
【０００６】
本発明は、上記に鑑みてなされたものであって、ＴＤＤ方式の無線伝送方式を採用してサービスを提供している伝送システムにおいても、時刻精度の確保を確実に行うことが可能な信号伝送装置、信号伝送システム及び方法を提供することを目的としている。
【課題を解決するための手段】
【０００７】
実施形態の信号伝送装置は、ＴＤＤ方式で信号伝送を行う信号伝送装置であって、入力された伝送信号に含まれる時刻同期用信号と時刻同期用信号以外の信号とを分離するスイッチ部と、時刻同期用信号以外の信号を伝送する第１伝送路と、時刻同期用信号を伝送する第２伝送路と、第１伝送路から伝送信号及び第２伝送路側から伝送信号を合成するとともに、第１伝送路側への伝送信号及び第２伝送路側への伝送信号を分配する合成分配器と、を備える。
【図面の簡単な説明】
【０００８】
【図１】図１は、実施形態の通信ネットワークの概要構成ブロック図である。
【図２】図２は、同軸伝送装置の概要構成ブロック図である。
【図３】図３は、ＰＴＰパケットデータ及びその他のパケットデータへの周波数割当の一例の説明図である。
【図４】図４は、ＰＴＰによる時刻同期処理手順の説明図である。
【図５】図５は、第２実施形態のリピータ装置の概要構成ブロック図である。
【発明を実施するための形態】
【０００９】
［１］第１実施形態
次に図面を参照して、実施形態について詳細に説明する。
図１は、実施形態の通信ネットワークの概要構成ブロック図である。
以下の説明においては、通信ネットワークは、ＬＴＥ（Long  Term  Evolution）通信規格に則って通信を行うものとする。
【００１０】
通信ネットワークＮＥＴは、図示しない関門交換機（Interconnecting  Gateway  Switch）を介して他接続事業者通信ネットワークＥＮＥＴとの間の相互接続を行い、当該通信ネットワークＮＥＴに対応する接続事業者に属する携帯電話、スマートフォン等の移動通信端末の接続制御を行うコアネットワークＣＮＥＴと、コアネットワークＣＮＥＴに接続され、後述の基地局の管理及び制御を行う複数の基地局制御装置ＢＳＣと、各基地局制御装置ＢＳＣに同軸ケーブルＬＣで有線接続された複数の無線基地局ＢＴＳと、を備えている。
【００１１】
上記構成において、基地局制御装置ＢＳＣは同軸伝送装置１０Ａを備え、無線基地局ＢＴＳは同軸伝送装置１０Ｂを備え、同軸伝送装置１０Ａと同軸伝送装置１０Ｂとは同軸ケーブルを介して対向配置されている。
【００１２】
次に同軸伝送装置について説明する。
同軸伝送装置１０Ａ及び同軸伝送装置１０Ｂは、同様の構成であるので、同軸伝送装置１０Ａを例として説明する。
【００１３】
図２は、同軸伝送装置の概要構成ブロック図である。
同軸伝送装置１０Ａは、イーサネット（登録商標）通信を行う装置であり、大別すると、ネットワークインタフェース部１１と、スイッチ部１２と、第１変復調装置１３と、第１アナログディジタル変換器（ＡＤ／ＤＡ）１４と、第１送受信機１５と、第２変復調装置１６と、第２アナログディジタル変換器１７と、第２送受信機１８と、合成分配器１９と、を備えている。
【００１４】
以下の同軸伝送装置の説明においては、便宜上、ネットワークインタフェース部１１側から合成分配器１９側にデータが伝送される場合をダウンリンクと呼び、逆に合成分配器１９側からネットワークインタフェース部１１側にデータが伝送される場合をアップリンクと呼ぶものとする。
【００１５】
ネットワークインタフェース部１１は、例えば、１０００ＢＡＳＥ−Ｔとして構成され、ダウンリンク時には、外部（この場合は、コアネットワークＣＮＥＴ）からイーサネットフレーム（＝パケットデータ）を受信し、スイッチ部１２に出力する。またネットワークインタフェース部１１は、アップリンク時には、スイッチ部１２により出力されたデータをイーサネットフレームとして外部（この場合は、コアネットワークＣＮＥＴ）に送信する。
【００１６】
スイッチ部１２は、ダウンリンク時には、ネットワークインタフェース部１１が出力したコアネットワークＣＮＥＴから伝送されるイーサネットフレームからレイヤ２あるいはレイヤ３レベルでＰＴＰ（Precision  Time  Protocol）パケットデータとその他のデータをフィルタリング（分離）してＰＴＰパケットデータを第２変復調装置１６に出力するとともに、その他のパケットデータを第１変復調装置１３に出力する。また、スイッチ部１２は、アップリンク時には、第１変復調装置１３が出力したＰＴＰパケット以外のパケットデータ及び第２変復調装置１６が出力したＰＴＰパケットデータを一連のパケットデータとしてネットワークインタフェース部１１に出力する。
【００１７】
この場合において、フィルタリングの方法としては、コアネットワークＣＮＥＴ側で付与されたＶＬＡＮ  Ｔａｇ等によってＰＴＰパケットと携帯電話等の移動通信端末のパケットを分離する方法や、ＵＤＰのポート番号により分離する方法等が挙げられる。
【００１８】
ここで、ＰＴＰパケットデータについて説明する。
ＰＴＰパケットデータは、ＩＥＥＥ１５８８に規定されているデータであり、非同期のパケットネートワークを介して時刻情報の基準となるマスタクロックからクライアントクロックに対し高精度な時刻情報を正確に転送する。
【００１９】
ところで、高精度な時刻情報を転送するには、アップリンクとダウンリンクとで通信回路が対称性を持っている必要がある。
そのため、本実施形態では、ＰＴＰパケットデータの通信には、ＦＤＤ方式の有線伝送方式を採用している。
【００２０】
図３は、ＰＴＰパケットデータ及びその他のパケットデータへの周波数割当の一例の説明図である。
ＰＴＰパケットデータについては、送信用の中心周波数ｆ１の第１周波数帯と、受信用の中心周波数ｆ２の第２周波数帯と、が伝送周波数として割り当てられている。
またその他のパケットデータについては、ＴＤＤ方式でデータ通信を行うために送受信用の中心周波数ｆ３の第３周波数帯が伝送周波数として割り当てられている。
【００２１】
さらにＰＴＰパケットデータについては、アップリンクとダウンリンクにおける伝送速度を考慮して、変調レートを可変する適用変調（アダプティブ変調）は使用せずに、固定の変調レートとしてアップリンク時の変調レートとダウンリンク時の変調レートとを同一としている。また変調方式として、例えば、ＢＰＳＫ（Binary  Phase  Shift  Keying）等の変調レートが低く、同一のＣ／Ｎ（Carrier  to  Noise  ratio）でもエラー率の低い変調方式を用いるのが好ましい。これによりエラー発生に起因する再送信を抑制する。さらにまた、ＰＴＰパケットデータの送受信においては、所望のＣ／Ｎとなるように送信電力を定めている。
【００２２】
第１変復調装置１３は、ダウンリンク時には、スイッチ部１２からＰＴＰパケットデータ以外のその他のパケットデータが入力されると、入力されたその他のパケットデータに基づいて同軸ケーブルを介して伝送可能な信号に変調して第１アナログディジタル変換器１４に出力する。この場合の変調方式としては、ＢＰＳＫ、ＱＰＳＫ（Quadrature  Phase  Shift  Keying）、１６ＱＡＭ（16  Quadrature  Amplitude  Modulation）、６４ＱＡＭ（64  Quadrature  Amplitude  Modulation）等が挙げられる。また、第１変復調装置１３は、アップリンク時には、第１アナログディジタル変換器１４から入力されたその他のパケットデータをネットワークインタフェース部１１を介して伝送可能な信号に復調してスイッチ部１２に出力する。
【００２３】
第１アナログディジタル変換器１４は、ダウンリンク時には、第１変復調装置１３が出力した変調信号のディジタル−アナログ変換を行って送信信号として第１送受信機１５に出力する。また第１アナログディジタル変換器１４は、アップリンク時には、第１送受信機１５が出力した受信信号のアナログ−ディジタル変換を行って受信データとして第１変復調装置１３に出力する。
【００２４】
第１送受信機１５は、上述した中心周波数ｆ３の第３周波数帯を用いてＴＤＤ方式の送受信を行う送受信機であり、ダウンリンク時には、送信信号を生成して、合成分配器１９に出力する。また、第１送受信機１５は、アップリンク時には、合成分配器により分配されたＰＴＰパケットデータ以外のその他のパケットデータに対応する受信信号を受信して第１アナログディジタル変換器１４に出力する。
【００２５】
第２変復調装置１６は、ダウンリンク時には、スイッチ部１２からＰＴＰパケットデータが入力されると、入力されたＰＴＰパケットデータに基づいて同軸ケーブルを介して伝送可能な信号に変調して第２アナログディジタル変換器１７に出力する。この場合の変調方式としては、ＢＰＳＫ等の変調レートが低く、同一のＣ／Ｎでもエラー率の低い変調方式が挙げられる。また、第２変復調装置１６は、アップリンク時には、第２アナログディジタル変換器１７から入力されたＰＴＰパケットデータをネットワークインタフェース部１１を介して伝送可能な信号に復調してスイッチ部１２に出力する。
【００２６】
第２アナログディジタル変換器１７は、ダウンリンク時には、第２変復調装置１６が出力した変調信号のディジタル−アナログ変換を行って送信信号として第２送受信機１８に出力する。また第２アナログディジタル変換器１７は、アップリンク時には、第２送受信機１８が出力した受信信号のアナログ−ディジタル変換を行って受信データとして第２変復調装置１６に出力する。
【００２７】
第２送受信機１８は、上述した中心周波数ｆ１の第１周波数帯及び中心周波数ｆ２の第２周波数帯を用いてＦＤＤ方式の送受信を行う送受信機であり、ダウンリンク時には、送信信号を生成して、合成分配器１９に出力する。また、第２送受信機１８は、アップリンク時には、合成分配器により分配されたＰＴＰパケットデータに対応する受信信号を受信して第２アナログディジタル変換器１７に出力する。
【００２８】
合成分配器１９は、ダウンリンク時には、第１送受信機１５が出力した送信信号（中心周波数ｆ３の周波数帯）及び第２送受信機１８が出力した送信信号（中心周波数ｆ１の周波数帯）を合成して同軸ケーブルを介して同軸伝送装置１０Ｂに送信する。また合成分配器１９は、アップリンク時には、同軸ケーブルを介して同軸伝送装置１０Ｂから受信した受信信号をＰＴＰパケットデータに対応する周波数帯（中心周波数ｆ２の周波数帯）の受信信号と、ＰＴＰパケットデータ以外のその他のパケットデータに対応する周波数帯（中心周波数ｆ３の周波数帯）の受信信号と、に分離し、ＰＴＰパケットデータに対応する周波数帯（中心周波数ｆ２の周波数帯）の受信信号を第２送受信機１８に出力し、その他のパケットデータに対応する周波数帯（中心周波数ｆ３の周波数帯）の受信信号を第１送受信機１５に出力する。
【００２９】
従って、以上をまとめると、コアネットワークＣＮＥＴの図示しないマスタ装置は、同軸伝送装置１０Ａのネットワークインタフェース部１１→同軸伝送装置１０Ａのスイッチ部１２→同軸伝送装置１０Ａの第２変復調装置１６→同軸伝送装置１０Ａの第２アナログディジタル変換器１７→同軸伝送装置１０Ａの第２送受信機１８→同軸伝送装置１０Ａの合成分配器１９→同軸ケーブル→同軸伝送装置１０Ｂの合成分配器１９→同軸伝送装置１０Ｂの第２送受信機１８→同軸伝送装置１０Ｂの第２アナログディジタル変換器１７→同軸伝送装置１０Ｂの第２変復調装置１６→同軸伝送装置１０Ｂのスイッチ部１２→同軸伝送装置１０Ｂのネットワークインタフェース部１１の順番でＰＴＰパケットデータを無線基地局ＢＴＳに対して伝送する。
【００３０】
同様に無線基地局ＢＴＳは、上述したものとは逆の順番で同軸伝送装置１０Ｂのネットワークインタフェース部１１から同軸伝送装置１０Ａのネットワークインタフェース部１１に向けて、コアネットワークＣＮＥＴの図示しないマスタ装置に対してＰＴＰパケットデータを伝送する。
【００３１】
上述したＰＴＰパケットデータの伝送路を介して実際に行われるＰＴＰパケットデータのやり取りにより時刻同期処理手順について説明する。
【００３２】
図４は、ＰＴＰによる時刻同期処理手順の説明図である。
まず、時刻ｔ０において、コアネットワークＣＮＥＴの図示しないマスタ装置は、時刻同期精度情報の通知をするためのアナウンスメッセージ（Announce  Message）ＡＭをスレーブ装置である無線基地局ＢＴＳに対して送信する。
【００３３】
これにより無線基地局ＢＴＳは、その後所定時間内に時刻同期精度情報を送信される旨を把握する。
【００３４】
続いて時刻ｔ１において、コアネットワークＣＮＥＴの図示しないマスタ装置は、イベントメッセージ（Event  Message）としてのシンクメッセージ（Sync  Message）ＳＭを無線基地局ＢＴＳに対して送信する。
この場合において、シンクメッセージＳＭには、当該シンクメッセージＳＭの送信時刻である時刻ｔ１が記録されている。
【００３５】
そして、時刻ｔ２において、無線基地局ＢＴＳはシンクメッセージＳＭを受信すると、受信時刻ｔ２を記録する。
【００３６】
さらに無線基地局ＢＴＳは、時刻ｔ３において、シンクメッセージＳＭを受信した旨をコアネットワークＣＮＥＴの図示しないマスタ装置に通知するために、ディレイリクエストメッセージ（Delay_Request_Message）ＤＲＭを送信する。
この場合において、ディレイリクエストメッセージＤＲＱＭには、当該ディレイリクエストメッセージＤＲＭの送信時刻である時刻ｔ３が記録されている。
【００３７】
そして、時刻ｔ４において、無線基地局ＢＴＳは、ディレイリクエストメッセージＤＲＭを受信すると、受信時刻ｔ４を記録する。
さらにコアネットワークＣＮＥＴの図示しないマスタ装置は、ディレイリクエストメッセージＤＲＭの受信時刻ｔ４を記録したディレイレスポンスメッセージ（Delay  Response  Message）ＤＲＰＭを無線基地局ＢＴＳに送信する。
【００３８】
次に上記状態における時刻差の算出方法について説明する。
ここで、無線基地局ＢＴＳが有する時計の時刻と、コアネットワークＣＮＥＴの図示しないマスタ装置が有する時計の時刻とは、オフセット時間ＴＯＦ１だけずれているものとする。
【００３９】
したがって、上述の例の場合、コアネットワークＣＮＥＴの図示しないマスタ装置から無線基地局ＢＴＳ（スレーブ）方向の時刻差及び無線基地局ＢＴＳ（スレーブ）からコアネットワークＣＮＥＴの図示しないマスタ装置方向への時刻差は、いずれの方向でも伝送遅延時間ＤＬＹ１が等しい場合、以下の関係が成立する。
【００４０】
・コアネットワークＣＮＥＴの図示しないマスタ装置から無線基地局ＢＴＳ（スレーブ）方向の時刻差
ｔ２−ｔ１＝ＤＬＹ１＋ＴＯＦ１                          …（１）
・無線基地局ＢＴＳ（スレーブ）からコアネットワークＣＮＥＴの図示しないマスタ装置方向の時刻差
ｔ４−ｔ３＝ＤＬＹ１−ＴＯＦ                          …（２）
【００４１】
これらの結果、無線基地局ＢＴＳ（スレーブ）は、式（１）と式（２）との和から伝送遅延時間ＤＬＹ１を算出し、式（１）と式（２）との差からオフセット時間ＴＯＦ１を算出する。
【００４２】
すなわち、
ＤＬＹ１＝（（ｔ２−ｔ１）＋（ｔ４−ｔ３））／２      …（３）
ＴＯＦ１＝（（ｔ２−ｔ１）−（ｔ４−ｔ３））／２      …（４）
これらの結果、無線基地局ＢＴＳは、算出した伝送遅延時間ＤＬＹ及びオフセット時間ＴＯＦ１に基づいて、当該無線基地局ＢＴＳ内の時刻補正を常に行い、高精度の時刻同期を実現することとなるのである。
【００４３】
以上の説明のように、本第１実施形態によれば、同軸伝送装置１０Ａ及び同軸伝送装置１０Ｂは、同時並行して伝送されるその他のパケットデータとは非同期にマスタ−スレーブ間でＰＴＰパケットデータをその他のパケットデータとは別伝送経路を介して、かつ、アップリンクとダウンリンクとを対称な状態で伝送することができる。
したがって、高精度な時刻同期を行って、その状態を維持することができる。
【００４４】
［２］第２実施形態
上記第１実施形態は、コアネットワークと無線基地局との間の通信網である上位通信網での実施形態であったが、本第２実施形態は、コアネットワークと、このコアネットワークにリピータ装置を介して接続される無線基地局との間で時刻同期を行う場合の実施形態である。
【００４５】
図５は、第２実施形態のリピータ装置の概要構成ブロック図である。
図５においては、理解の容易のため、リピータ装置として、１台の親機と、この親機に同軸ケーブルで接続された２台の子機がある場合を例として説明する。
【００４６】
通信システム３０は、大別すると、コアネットワークＣＮＥＴと、コアネットワークに直接的に接続された第１基地局３１と、コアネットワークＣＮＥＴ及び第１基地局の双方にそれぞれ別の通信路を介して接続された親機３２と、この親機３２にそれぞれ同軸ケーブルで接続された２台の子機３３−１、３３−２と、子機３３−１に通信ネットワークを介して接続された第２基地局３４と、を備えている。
【００４７】
親機３２は、大別すると、ＲＦインタフェース（ＩＦ）４１と、周波数変換部４２と、第１合成分配器４３と、ネットワークインタフェース部４４と、スイッチ部４５と、第１変復調装置４６と、第１アナログディジタル変換器４７と、第１送受信機４８と、第２変復調装置４９と、第２アナログディジタル変換器５０と、第２送受信機５１と、第２合成分配器５２と、第３変復調装置５３と、第３アナログディジタル変換器５４と、第３送受信機５５と、第４変復調装置５６と、第４アナログディジタル変換器５７と、第４送受信機５８と、第３合成分配器５９と、を備えている。
【００４８】
次に子機３３−１及び子機３３−２について説明する。
ここで、子機３３−１と子機３３−２とは、同様の構成であるので、子機３３−１を例として説明する。
【００４９】
子機３３−１は、大別すると、親機３２の第２合成分配器５２と同軸ケーブルを介して接続された合成分配器６１と、周波数変換部６２と、第１送受信機６３と、第２送受信機６４と、第１アナログディジタル変換器６５と、第１変復調装置６６と、第３送受信機６７と、第２アナログディジタル変換器６８と、第２変復調装置６９と、スイッチ部７０と、ネットワークインタフェース部７１と、を備えている。
【００５０】
次に第２実施形態の概要動作を説明する。
コアネットワークＣＮＥＴから送信された無線信号は、第１基地局３１→ＲＦインタフェース（ＩＦ）４１→第１合成分配器４３の経路で対応する周波数帯（中心周波数ｆ４の周波数帯）の送信信号として、第２合成分配器５２に伝送される。
【００５１】
一方、コアネットワークＣＮＥＴから有線通信ネットワークを介して直接送信されたパケットデータ（ＰＴＰパケットデータ及びその他のパケットデータ）のうち、子機３３−１に送信すべきパケットデータであるその他のパケットデータは、ネットワークインタフェース部４４→スイッチ部４５の経路を介して第１変復調装置４６に送信され、さらに第１アナログディジタル変換器６５及び第１変復調装置６６を介して、その他のパケットデータに対応する周波数帯（中心周波数ｆ３の周波数帯）の送信信号として、第２合成分配器５２に伝送される。
【００５２】
また、コアネットワークＣＮＥＴから有線通信ネットワークを介して直接送信されたパケットデータ（ＰＴＰパケットデータ及びその他のパケットデータ）のうち、子機３３−１に送信すべきパケットデータであるＰＴＰパケットデータは、ネットワークインタフェース部４４→スイッチ部４５の経路を介して第２変復調装置４９に送信され、さらに第２アナログディジタル変換器６８及び第２変復調装置６９を介して、ＰＴＰパケットデータに対応する周波数帯（中心周波数ｆ１の周波数帯）の送信信号として、第２合成分配器５２に伝送される。
【００５３】
これらの結果、第２合成分配器５２は、中心周波数ｆ１の周波数帯の送信信号、中心周波数ｆ３の周波数帯の送信信号及び中心周波数ｆ４の周波数帯の送信信号を合成して子機３３−１に同軸ケーブルを介して送信する。
【００５４】
子機３３−１の合成分配器６１は、親機３２から受信した送信信号のうち、中心周波数ｆ４の周波数帯の送信信号を周波数変換部６２に出力する。
周波数変換部６２は、図示しない移動端末装置の通信周波数に変換して、第１送受信機６３及び図示しないアンテナを介して移動端末装置との通信を行う。
【００５５】
また、合成分配器６１は、親機３２から受信した送信信号のうち、中心周波数ｆ３の周波数帯の送信信号（その他のパケットデータに相当）を第２送受信機６４に出力し、第２送受信機６４は、受信信号を第１アナログディジタル変換器６５に出力する。
【００５６】
第１アナログディジタル変換器６５は、第２送受信機６４が出力した受信信号のアナログ−ディジタル変換を行って受信データとして第１変復調装置６６に出力する。
これにより第１変復調装置６６は、受信データを復調してその他のパケットデータとしてスイッチ部７０に出力する。
【００５７】
一方、合成分配器６１は、親機３２から受信した送信信号のうち、中心周波数ｆ１の周波数帯の送信信号（ＰＴＰパケットデータに相当）を第３送受信機６７に出力し、第３送受信機６７は、受信信号を第２アナログディジタル変換器６８に出力する。
【００５８】
第２アナログディジタル変換器６８は、第２送受信機６４が出力した受信信号のアナログ−ディジタル変換を行って受信データとして第２変復調装置６９に出力する。
これにより第２変復調装置６９は、受信データを復調してＰＴＰパケットデータとしてスイッチ部７０に出力する。
【００５９】
これらの結果、スイッチ部７０は、ネットワークインタフェース部７１を介して、ＰＴＰパケットデータ及びその他のパケットデータを第２基地局に出力する。
【００６０】
以上は、コアネットワークＣＮＥＴの図示しないマスタ装置からスレーブである第２基地局に対してＰＴＰパケットデータを伝送する場合の説明であったが、次にスレーブである第２基地局からコアネットワークＣＮＥＴの図示しないマスタ装置に対してＰＴＰパケットデータを伝送する場合の動作概要を説明する。
【００６１】
第２基地局３４は、ＰＴＰパケットデータをコアネットワークＣＮＥＴの図示しないマスタ装置に対して伝送する場合には、ネットワークインタフェース部７１→スイッチ部７０→第２変復調装置６９→第２アナログディジタル変換器６８→第３送受信機６７→合成分配器６１→同軸ケーブル→親機３２の第２合成分配器→第２送受信機５１→第２アナログディジタル変換器→第２変復調装置４９→スイッチ部４５→ネットワークインタフェース部４４の順番でＰＴＰパケットデータをコアネットワークＣＮＥＴの図示しないマスタ装置に伝送する。
【００６２】
これらの結果、コアネットワークＣＮＥＴの図示しないマスタ装置及び第２基地局３４は、図３で示したような手順で高精度な時刻同期を行って、その状態を維持することができる。
【００６３】
以上の説明においては、通信に用いる周波数帯（バンド）が一定の場合について説明したが、ＰＴＰパケットデータとその他のパケットデータとで異なる周波数帯を用い、かつ、ＰＴＰパケットデータについては、ＦＤＤ方式を用いることで、アップリンクの伝送路と、ダウンリンクの伝送路と、を対称に構成することができれば、任意の周波数帯を適宜用いるようにすることが可能である。
【００６４】
本実施形態の通信中継装置は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００６５】
本実施形態の通信中継装置で実行されるプログラムは、インストール可能な形式又は実行可能な形式のファイルでＣＤ−ＲＯＭ、ＤＶＤ、ＵＳＢメモリ等のコンピュータで読み取り可能な記録媒体に記録されて提供される。
【００６６】
また、本実施形態の通信中継装置で実行されるプログラムを、インターネット等のネットワークに接続されたコンピュータ上に格納し、ネットワーク経由でダウンロードさせることにより提供するように構成しても良い。また、本実施形態の通信中継装置で実行されるプログラムをインターネット等のネットワーク経由で提供または配布するように構成しても良い。
また、本実施形態の通信中継装置のプログラムを、ＲＯＭ等に予め組み込んで提供するように構成してもよい。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６８】
例えば、以上の説明においては、ＬＴＥ信号を取り上げたが、本発明では、ＷｉＭＡＸ信号や無線ＬＡＮ信号等のその他の無線通信信号の場合にも適用可能である。
【符号の説明】
【００６９】
１０Ａ、１０Ｂ  同軸伝送装置
１１    ネットワークインタフェース部
１２    スイッチ部
１３    第１変復調装置
１４    第１アナログディジタル変換器
１５    第１送受信機
１６    第２変復調装置
１７    第２アナログディジタル変換器
１８    第２送受信機
１９    合成分配器
３０    通信システム
３１    第１基地局
３２    親機
３３    子機
３４    第２基地局
４２    周波数変換部
４３    第１合成分配器
４４    ネットワークインタフェース部
４５    スイッチ部
４６    第１変復調装置
４７    第１アナログディジタル変換器
４８    第１送受信機
４９    第２変復調装置
５０    第２アナログディジタル変換器
５１    第２送受信機
５２    第２合成分配器
５３    第３変復調装置
５４    第３アナログディジタル変換器
５５    第３送受信機
５６    第４変復調装置
５７    第４アナログディジタル変換器
５８    第４送受信機
５９    第３合成分配器
６１    合成分配器
６２    周波数変換部
６３    第１送受信機
６４    第２送受信機
６５    第１アナログディジタル変換器
６６    第１変復調装置
６７    第３送受信機
６８    第２アナログディジタル変換器
６９    第２変復調装置
７０    スイッチ部
７１    ネットワークインタフェース部
ＢＳＣ  基地局制御装置
ＢＴＳ  無線基地局
ＣＮＥＴ  コアネットワーク
ＬＣ    同軸ケーブル
【図１】
2019186886.tif 000003
【図２】
2019186886.tif 000004
【図３】
2019186886.tif 000005
【図４】
2019186886.tif 000006
【図５】
2019186886.tif 000007